(57)【要約】  【課題】視認性が良好でスケジュールの進捗を直感的に把握できるようにしたスケジュール管理装置を実現する。  【解決手段】所定方向に沿ってスケジュールのステップ等が書き込み可能な盤面１と、この盤面１の前記所定方向に沿って駆動手段２により所定速度で駆動される指示体３とを備え、所定方向に沿って時系列で盤面にスケジュールのステップを書き込んだ状態で指示体３を駆動手段２によって所定速度で移動させることにより、指示体３が指し示す位置を刻々変化させて時計の針の役割を果たさせるようにした。  【選択図】図１
2010120228.tif 000002
【特許請求の範囲】
【請求項１】
所定方向に沿ってスケジュールのステップ等が書き込み可能な盤面と、この盤面の前記所定方向に沿って駆動手段により所定速度で駆動される指示体とを具備してなることを特徴とするスケジュール管理装置。
【請求項２】
盤面には、所定方向に沿って一定間隔で目盛や時間表示等からなる時間軸構成部が設けてある請求項１記載のスケジュール管理装置。
【請求項３】
駆動手段が、駆動部に駆動されて所定速度で回転する回転軸と、この回転軸に一体回転可能に設けたローラと、このローラに巻き掛けた線材とを具備し、この線材に前記指示体を取り付けている請求項１又は２何れかに記載のスケジュール管理装置。
【請求項４】
回転軸が、時計機能やタイマー機能を有する駆動部の秒針、分針、時針の何れかの針駆動軸を利用したものである請求項３記載のスケジュール管理装置。
【請求項５】
盤面の一部にアラームを更に具備し、指示体が所定位置に到来した際に前記アラームから報知をなすように構成されている請求項１〜４何れかに記載のスケジュール管理装置。
【発明の詳細な説明】
【技術分野】
【０００１】
本発明は、視認性を高めて直感的にスケジュールの進捗を把握できるようにしたスケジュール管理装置に関するものである。
【背景技術】
【０００２】
今日の電子機器の普及に伴って、スケジュール管理のためのツールとして多くのスケジュール管理ソフトが開発され、パーソナルコンピュータ上で活用されるようになっている。その一方で、会議やプロジェクト等では、会議室やワークスペースに設置されたホワイトボードやスケジュールボード等にプロセスのステップ等を書き込んでスケジュール管理を行う手法が最も手短で便利な手法として現在においても広く一般に活用されている。但し、このようなスケジュールボード等に関しても、例えば特許文献１に示すような工夫を凝らしたもの等は考えられている。
【特許文献１】特開平１０−２３６０７９号公報
【発明の開示】
【発明が解決しようとする課題】
【０００３】
ところで、会議やミーティング等で議事や打合せの進捗状況を管理する場合、これらのボードに予定時刻とステップの内容を書き込み、それに従って議事や打ち合わせを進行させるのが通例である。
【０００４】
しかしながら、開始からどの程度時間が経過したのか、予定よりも進んでいるのか遅れているのか等を把握する場合には、先ず時計で時刻を確認し、ホワイトボードやスケジュールボード上でその時刻が付された位置を探して、その位置に書き込まれている内容および周辺の内容から、現在進行しているステップが本来どの時刻に予定されていたものであるかを判断しなければならない。そして、このような判断は無意識のうちに行われているが、実際には煩わしく、現在位置を直接把握できないため、感覚的に捉え難いものである。
【０００５】
これらの事情は、プロジェクトの進行をある程度長期のスパンで管理する場合等にも同様で、日付と予定を書き込んでいても、現在の日付をカレンダー等で確認し、その日付が付された位置をホワイトボードやスケジュールボードで探すところから始めなければならない煩わしさと捉え難さがつきまとう。
【０００６】
本発明は、これらのシーンにおいて、端的にスケジュールの進捗を把握できる便利なスケジュール管理装置を提供することを目的としている。
【課題を解決するための手段】
【０００７】
本発明は、かかる目的を達成するために、次のような手段を講じたものである。
【０００８】
すなわち、本発明のスケジュール管理装置は、所定方向に沿ってスケジュールのステップ等が書き込み可能な盤面と、この盤面の前記所定方向に沿って駆動手段により所定速度で駆動される指示体とを具備してなることを特徴とする。
【０００９】
このような構成により、所定方向に沿って時系列で盤面にスケジュールのステップを書き込んでおき、指示体を駆動手段によって所定速度で移動させると、指示体が指し示す位置が刻々変化し、いわば時計の針の役割を果たす。このため、随時その指示体が指し示す位置および周辺の書き込み内容を見れば、逐一時刻を確認せずとも、会議やプロジェクトの進み具合が一目瞭然となる。したがって、このようなスケジュール管理装置によれば、視認性に富み、スケジュールの進捗状況を直感的に把握することが可能になる。
【００１０】
書き込み位置の適正化を測るためには、盤面に、所定方向に沿って一定間隔で目盛や時間表示等からなる時間軸構成部を設けておくことが望ましい。
【００１１】
簡素に構成できて時間設定等を容易に行うためには、駆動手段が、駆動部に駆動されて所定速度で回転する回転軸と、この回転軸に一体回転可能に設けたローラと、このローラに巻き掛けた線材とを具備し、この線材に前記指示体を取り付けていることが好ましい。
【００１２】
同様の趣旨で、回転軸は、時計機能やタイマー機能を有する駆動部の秒針、分針、時針の何れかの針駆動軸を利用したものであることが有効である。
【００１３】
スケジュール管理をより確実ならしめるためには、盤面の一部にアラームを更に具備し、指示体が所定位置に到来したときに前記アラームから報知をなすように構成されていることが望ましい。
【発明の効果】
【００１４】
本発明は、以上説明した構成であるから、スケジュールのステップ等が書き込まれた盤面に対し、その盤面に沿って移動する指示体を目印にして、スケジュールの進捗が「見える」状態にしたので、優れた視認性を通じてスケジュールの把握を直感的かつ的確に行うことを可能にした新規有用なスケジュール管理装置を提供することができる。
【発明を実施するための最良の形態】
【００１５】
以下、本発明の一実施形態を、図面を参照して説明する。
【００１６】
この実施形態のスケジュール管理装置は、図１及び図２に示すように、所定方向に沿ってスケジュールのステップ等が書き込み可能な盤面１と、この盤面１の前記所定方向に沿って駆動手段２により所定速度で駆動される指示体３とを具備している。
【００１７】
盤面１は、図３に示すように、ホワイトボードのような書き消し可能な記入面１１ａを備えたカード状の盤面構成要素１１を所定方向に沿って図３に示すように樹脂ヒンジ等を介して折り畳み／展開可能に連ねた構成されるもので、コンパクトに折り畳んで梱包ないし収納し、展開することによって、最上部に位置する盤面構成要素１ｘを壁のフック等に掛けられるようになっている。この盤面構成要素１ｘには、プロジェクト名等のタイトル記入欄１ｂが設けられている。盤面構成要素１ｘ、１１，１１…を連ねた状態で、盤面１には、図１に示すように所定方向に沿って一定ピッチで罫線のような目盛り１ａ、１ｂが構成され、下方に向かって時間の流れすなわち時間軸を構成している。目盛り１ａ、１ｂは盤面構成要素１１上に印刷されたものであるが、目盛り１ｂは少なくとも盤面構成要素１１、１１間の境界に現れる目地をそのまま利用することもできる。勿論、目盛り１ａは無くても構わない。目盛り１ｂは１０日ピッチの時間軸を構成している。明確化のために、同図（ｂ）に示すように、「１０日、２０日、…３ヶ月」という具合に時間表示を付しても構わない。これら図１（ａ）、（ｂ）は３ヶ月管理用のものである。盤面１を構成する盤面構成要素１１はマグネット素材により構成され、或いは一部にマグネットが設けられていて、ホワイトボードやロッカー、パーティション等の磁性面に吸着可能であるほか、この盤面１の表面に、例えばスケジュールのゴールを表わす目標位置表示体４（図１では宝石箱をあしらった表示体）を吸着させること等を可能にしている。
【００１８】
一方、指示体３を駆動する駆動手段２は、図２及び図３に示すように、駆動部２１に駆動されて所定速度で回転する回転軸２２と、この回転軸２２に一体回転可能に設けたローラ２３と、このローラ２３に巻き掛けた糸等の線材２４とを具備する。駆動部２１が時計やタイマーと同様の時を刻む機能を備えたものである場合、回転軸２２は、秒針、分針、時針の何れかの針駆動軸に相当する。ローラ２３は、線材２４が外れないような溝状の巻き掛け部２４ａを備えたもので、その巻き掛け部２４ａに線材２４を巻き掛け、下端部を垂下させて、その下端部に前記指示体３を吊り下げている。回転軸２２の角速度に巻き掛け部２４ａの半径を乗じたものがローラ２３からの線材２４の繰り出し速度になり、その速度で指示体３は昇降（この実施形態では降下）する。回転軸２２はローラ２３側からも回転させることができ、ローラ２３からの線材２４の繰り出しや巻き取りをローラ２３を把持して行うこともできるようになっている。駆動部２１には、少なくとも回転軸２２の回転のＯＮ／ＯＦＦ切替を行うスイッチ（図示省略）が設けてある。駆動部２１の動力は電気でもねじりバネでも構わない。
【００１９】
そして、最上部に位置する盤面構成要素１ｘの一部に回転軸２２に貫通させてローラ２３を取り付け、指示体３を盤面１上に位置づけている。この実施形態の指示体３は、図１に示すようにゴールに配置した目標位置表示体４に向かって潜水するダイバーをイメージしているが、具体的な形態は、矢印形状のものなど任意であり、様々なデザインを通じて意味合いをもたせることができる。
【００２０】
回転軸２２に時計機能の軸部を利用する場合は、秒針は１分で１回転し、分針は１時間で１回転し、時針は１２時間で１回転することを踏まえ、これらの角速度とローラ２３の径との関係から、指示体３の移動距離を設定することができる。したがって、図示のような３ヶ月用の盤面１を構成するほか、例えば図４に示すように１０分のミーティング用の盤面１０１を構成したり、図５に示すような１時間の会議用の盤面２０１を構成したり、図６に示すように７時間の執務用の盤面３０１を構成すること等が可能である。これらの場合にも、目盛りや時間表示等の時間軸構成要素は適宜の間隔で付することができる。図４では１分ごとに目盛りである罫線１０１ａと時間表示「１分、２分、…」が付してあり、図５では１０分ごとに目盛りである罫線２０１ａと時間表示「１０分、２０分、…」が付してあり、図６では１時間ごとに目盛りである罫線３０１ａと時間表示「１時間、２時間、…」が付してある。
【００２１】
次に、本実施形態に係るスケジュール管理装置の取扱方法について説明する。まず、図３に示すように盤面１を展開し、これに駆動手段２と指示体３とを関連づけて、図１（ａ）に示すように盤面１を展開状態で壁等に取り付ける。その前後において、盤面１の所要箇所にスケジュールのステップ等を書き込んでおく。また、指示体３が当初は所定位置（通常はスタート位置）にあるようにローラ２３への線材２４の巻き掛け量やローラ２３の回転位相を調節する。この状態において、指示体３は、時間軸構成要素のうちの時間表示１ｂが設けられたラインと、「イベント１」等のステップが書き込まれた領域との間に沿って降下する関係に配されている。
【００２２】
そして、図示しないスタートボタンを押す。それと同時に、駆動手段２の回転軸２２が回転し始め、指示体３は３ヶ月後に盤面１の最下端に到来するような速度で降下し始める。
【００２３】
したがって、例えば図のような長期のプロジェクトにおいて、「３／１２  スタート」、「３／２０  イベント１」、「４／１９  イベント２」、「６／１  イベント３」、「６／１２  ゴール」等の日付と内容を書き込んでおくと、指示体３はその書き込みの横を順次通過してゴールに向かって刻々と位置を変えながら降下する。したがって、プロジェクトのメンバーは、いつでも指示体３の横に書き込まれている盤面上の日付や書き込み内容から、プロジェクトの進捗状況を把握することができる。
【００２４】
なお、例えば図５に示す６０分管理用の盤面２０１に例示しているように、比較的短時間のスケジュールを管理する場合には、盤面１の一部にアラーム５をクリップ等を用いて着脱可能に取り付けるようにしてもよい。この実施形態のアラーム５は、ベルのようなもので、指示体３がアラーム５の設けられた位置に到達して接触することにより、「チン」と鳴るようになっている。このように、アラーム５の設置に従って指示体５が所定位置に到来したときに報知がなされるので、盤面の記載内容のうち報知を必要とする箇所にアラーム５を取り付ければ、書き込み内容と関連づけて到来時間を確実に了知させることができる。
【００２５】
以上のように、本実施形態のスケジュール管理装置は、所定方向に沿ってスケジュールのステップ等が書き込み可能な盤面１と、この盤面１の前記所定方向に沿って駆動手段２により所定速度で駆動される指示体３とを備えるものである。
【００２６】
このような構成のスケジュール管理装置により、所定方向に沿って時系列で盤面１にスケジュールのステップを書き込み、指示体３を駆動手段２によって所定速度で移動させると、指示体３が指し示す位置が刻々変化し、いわば時計の針の役割を果たす。このため、随時その指示体３が指し示す位置および周辺の書き込み内容を見れば、逐一時刻を確認せずとも、会議やプロジェクトの進み具合が一目瞭然となる。したがって、このようなスケジュール管理装置によれば、視認性に富み、スケジュールの進捗状況を即座に直感的に把握することが可能になる。
【００２７】
また、盤面１には、所定方向に沿って一定間隔で目盛１ａ、１０１ａ、２０１ａ、３０１ａや時間表示１ｂ、１０１ｂ、２０１ｂ、３０１ｂ等からなる時間軸構成部が設けてあるので、これらの目盛１ａ、１０１ａ、２０１ａ、３０１ａや時間表示１ｂ、１ｂ、１０１ｂ、２０１ｂ、３０１ｂに従ってスケジュールのステップ等を適切な位置に書き込むことができ、指示体３の移動位置とステップの書き込み位置との同期が確実にとられるため、簡単な構成であっても確実なスケジュール管理を行うことができる。
【００２８】
具体的には、駆動手段２が、駆動部２１に駆動されて所定速度で回転する回転軸２２と、この回転軸２２に一体回転可能に設けたローラ２３と、このローラ２３に巻き掛けた線材２４とを具備し、この線材２４に前記指示体３を取り付けているだけであるので、構造簡素であり、しかもローラ２３の径やローラ２３を駆動する回転軸２２の種類によって指示体３の移動速度が決まるので、盤面１の時間単位を「分」レベル、「時」レベル、「日」レベルで設定し、種々の時間幅のものを簡単に作成することができる。
【００２９】
特に、回転軸２２が、時計機能やタイマー機能を有する駆動部２１の秒針、分針、時針の何れかの針駆動軸を利用したものであれば、既存の時計の構造等を利用して本実施形態を簡単に構成することができる。
【００３０】
さらに、盤面１の一部にアラーム５を更に具備し、指示体３が所定位置に到来したときに報知をなすようにすれば、上記の指示体３の営む作用や盤面１，１０１，２０１、３０１への書き込みとともに、スケジュール管理をより確実に行うことが可能となる。
【００３１】
なお、各部の具体的な構成は、上述した実施形態のみに限定されるものではない。
【００３２】
例えば、盤面を紙により構成したり、ロール状のものを展開して使用するように構成すること等も可能である。また、アラームは最初から盤面の所定位置に取り付けておいても構わない。
【００３３】
その他、盤面の時間軸構成要素の構成や指示体の形態等も、本発明の趣旨を逸脱しない範囲で種々変形が可能である。
【図面の簡単な説明】
【００３４】
【図１】本発明の一実施形態を示す模式的な正面図。
【図２】同側面図。
【図３】同実施形態の盤面を示す模式的な斜視図。
【図４】盤面の変形例を示す図。
【図５】盤面の変形例を示す図。
【図６】盤面の変形例を示す図。
【符号の説明】
【００３５】
１…盤面
１ａ、１０１ａ、２０１ａ、３０１ａ…目盛
１ｂ、１０１ｂ、２０１ｂ、３０１ｂ…時間表示
２…駆動手段
３…指示体
５…アラーム
２１…駆動部
２２…回転軸
２３…ローラ
２４…線材
【図１】
2010120228.tif 000003
【図２】
2010120228.tif 000004
【図３】
2010120228.tif 000005
【図４】
2010120228.tif 000006
【図５】
2010120228.tif 000007
【図６】
2010120228.tif 000008